(57)【特許請求の範囲】
【請求項１】
長筒状のスイッチケースと、
前記スイッチケースの底部に設けた回路基板と、
前記スイッチケース内において上下方向へ所定の範囲で摺動付勢されて設けられたところの先端にキャップ部と光を拡散させる光拡散レンズとを有する光透過性材料で構成された筒状の操作押しボタン部材と、
前記回路基板の略中央部で前記押しボタン部材の軸心方向に位置して当該回路基板に搭載された照光部材と、
前記回路基板の前記照光部材の横に所定距離を離して配置されている発光素子と受光素子を備えるフォトセンサと、
前記押しボタン部材に取り付けられ当該押しボタン部材の動作に伴い前記フォトセンサの発光素子・受光素子の間の光路を遮光するように変位するシャッター部材と、を備える照光式押しボタンスイッチ装置において、
前記スイッチケース内の前記光拡散レンズと前記回路基板に取り付けた前記照光部材の間の距離を前記光拡散レンズの直径よりも長くすると共に、
前記シャッター部材は、光不透過性材質のもので、前記押しボタン部材とは別体に設けられ、外周に複数の係止突起を有しこの係止突起を前記押しボタン部材の下部側に設けた係合孔へ係合させることによって当該押しボタン部材の下部側に装着されるリング状の取付部と、この取付部の一側部に前記照光部材の上面側を遮らないように設けられた前記フォトセンサの前記発光素子と前記受光素子の間を遮光或は導通させる遮光片とで構成したことを特徴とする、照光式押しボタンスイッチ装置。
【請求項２】
請求項１に記載の照光式押しボタンスイッチ装置において、前記スイッチケースには、複数の段部を上側から下側に至るほど拡径させて設けた取付係止片が弾性を付与されて揺動可能に設けられていることを特徴とする、照光式押しボタンスイッチ装置。
【請求項３】
請求項１に記載の照光式押しボタンスイッチ装置において、前記筒状の押しボタン部材の内部は上方に至るほど内径が広くなるように構成されていることを特徴とする、照光式押しボタンスイッチ装置。
【請求項４】
請求項１ないし３のいずれかに記載の照光式押しボタンスイッチ装置において、
前記フォトセンサは、前記回路基板に設けられていて、発光素子・受光素子を対向配置した状態で各素子の下部を結合して一体に形成した正面視略凹字形で構成されることを特徴とする、照光式押しボタンスイッチ装置。
【請求項５】
請求項１ないし４のいずれかに記載の照光式押しボタンスイッチ装置において、
前記照光部材は、発光ダイオードであることを特徴とする、照光式押しボタンスイッチ装置。
【発明の詳細な説明】
【技術分野】
【０００１】
本発明は、とくに各種ゲーム機などの電気・電子機器に用いて好適なそれ自身が発光する照光式押しボタンスイッチ装置に関するものである。
【背景技術】
【０００２】
例えばテレビゲーム機、メダルゲーム機、プライズマシン、クレーンゲーム機、音楽系ゲーム機、子供向けゲーム機などの各種ゲーム機等の電気・電子機器には、ディスプレイ装置等の表示装置と共に入力装置として照光式押しボタンスイッチ装置が取り付けられている。
【０００３】
この種の照光式押しボタンスイッチ装置は、消費電力や故障が少なく耐久性を持っており、その上照光部材が点灯した際に、押しボタン部材に取り付けたところの外部へ光を放射するキャップ部が輝度ムラを生じさせることなく均一に光るようにすることが、見た目にもきれいであることから、客先から要求されている。
【０００４】
従来、この種の照光式押しボタンスイッチ装置は種々のものがあるが、スイッチケースの中に回路基板を設け、この回路基板上に照光部材として発光ダイオード（ＬＥＤ）チップを搭載させ、さらに、電気・電子機器の電子回路のＯＮ、ＯＦＦを行うフォトセンサを回路基板上に搭載させたものとして、下記特許文献１と２に記載されたものが公知である。
【０００５】
上記特許文献１に記載の、本発明の対象である照光式押しボタンスイッチ装置に相当する遊技機のスイッチ装置は、本発明のスイッチケースに相当する筒状の枠体に対し上下方向へ付勢されて本発明の押しボタン部材に相当する同じく筒状で光不透過性材料で構成された押しボタン部材が一方向へ付勢されて上下方向に摺動可能に取り付けられると共に、枠体の底部に回路基板が取り付けられ、この回路基板の一端部側に偏奇させて発光ダイオードが搭載され、他端部側に偏奇させてフォトセンサが搭載されているものが記載されており、シャッター板は押しボタン部材から一体に垂下形成されている。
【０００６】
上記特許文献２には、本発明のスイッチケースに相当する筒状の枠体に対し、上下方向へ付勢されて本発明の押しボタン部材に相当する同じく筒状で光不透過性材料で構成された押しボタン本体が上下方向に摺動可能に取り付けられると共に、枠体の底部に回路基板が取り付けられ、この回路基板上にハウジング部が立設され、このハウジング部の頂部に本発明のキャップ部に相当する操作部材の先端に近接して発光ダイオードが取り付けたものが記載されている。
【先行技術文献】
【特許文献】
【０００７】
【特許文献１】特開２００６-１０７９６２号公報
【特許文献２】特開２００５-１１８４０３号公報
【発明の概要】
【発明が解決しようとする課題】
【０００８】
上記従来技術の特許文献１に記載されたものは、押しボタン部材が光不透過性材質のものであるため、基板上の一端部側に偏奇させて搭載させた発光ダイオードから発した光が押しボタン部材に当たり、この押しボタン部材やフォトセンサの影がキャップ部に投影されてしまい、押ボタン部材先端のキャップ部の部分を均一に光らせることができないという問題があった。
【０００９】
また、上記従来技術の特許文献２に記載されたものは、発光ダイオードが回路基板から立ち上げたハウジング部の頂部に取り付けてあるので、操作部材の本発明のキャップ部に相当する先端部分に輝度ムラが生じ操作部材を均一に光らせることができないという問題があった。
【００１０】
そこで、本発明は、上記した客先の要求と、従来技術の上記問題点に鑑みてなされたものであり、その課題は、低消費電力で故障が少なく耐久性を有し、キャップ部全体を均一に発光させることのできる照光式押しボタンスイッチ装置を提供することにある。
【課題を解決するための手段】
【００１１】
上記課題を解決するために本発明は、長筒状のスイッチケースと、前記スイッチケースの底部に設けた回路基板と、前記スイッチケース内において上下方向へ所定の範囲で摺動付勢されて設けられたところの先端にキャップ部と光を拡散させる光拡散レンズとを有する光透過性材料で構成された筒状の操作押しボタン部材と、前記回路基板の略中央部で前記押しボタン部材の軸心方向に位置して当該回路基板に搭載された照光部材と、前記回路基板の前記照光部材の横に所定距離を離して配置されている発光素子と受光素子を備えるフォトセンサと、前記押しボタン部材に取り付けられ当該押しボタン部材の動作に伴い前記フォトセンサの発光素子・受光素子の間の光路を遮光するように変位するシャッター部材と、を備える照光式押しボタンスイッチ装置において、前記スイッチケース内の前記光拡散レンズと前記回路基板に取り付けた前記照光部材の間の距離を前記光拡散レンズの直径よりも長くすると共に、前記シャッター部材は、光不透過性材質のもので、前記押しボタン部材とは別体に設けられ、外周に複数の係止突起を有しこの係止突起を前記押しボタン部材の下部側に設けた係合孔へ係合させることによって当該押しボタン部材の下部側に装着されるリング状の取付部と、この取付部の一側部に前記照光部材の上面側を遮らないように設けられた前記フォトセンサの前記発光素子と前記受光素子の間を遮光或は導通させる遮光片とで構成したことを特徴とする。
【００１２】
その際に本発明は、前記スイッチケースに、複数の段部を上側から下側に至るほど拡径させて設けた取付係止片が弾性を付与されて揺動可能に設けたことを特徴とする。
【００１３】
本発明はさらに、前記筒状の押しボタン部材の内部は上方に至るほど内径が広くなるように構成されていることを特徴とする。
本発明はさらに、前記フォトセンサが、前記回路基板に設けられていて、発光素子・受光素子を対向配置した状態で各素子の下部を結合して一体に形成した正面視略凹字形で構成したことを特徴とする。
そして本発明は  前記照光部材を、発光ダイオードとするものである。
【発明の効果】
【００１４】
本発明は上記のように構成したので、以下のような特有の効果を奏する。
【００１５】
本発明の照光式押しボタンスイッチ装置では、長筒状のスイッチケースの底部に回路基板を設け、このスイッチケースに先端側に光拡散レンズとキャップ部を取り付け、回路基板と光拡散レンズとの間の距離を光拡散レンズの口径よりも長く取ると共に、スイッチケース内に上下方向へ摺動付勢させて光透過性の材料で作った筒状の押しボタン部材を設け、回路基板上の中央部で、押しボタン部材の軸方向中心部に位置するように例えば発光ダイオードから成る照光部材を搭載させ、回路基板上へ取り付けたフォトセンサに対するシャッター部材を押しボタン部材とは別部材当該押しボタン部材に取り付けられる中空の環状の取付部とこの取付部に前記照光部材の上部側を遮らないように設けた遮光板で構成したことで、発光ダイオード（ＬＥＤ）等の照光部材を発光させた際、キャップ部に照光部材の部分だけ強く発光して輝点として残り発光斑ができてしまったり、シャッター部材の取付部と遮光片の影ができてしまったりしてしまうことを解消させて、キャップ部全体を均一に光らせることのできる照光式押しボタンスイッチ装置を提供することができる。
【００１６】
また、照光部材に発光ダイオード（ＬＥＤ）を用い、スイッチにフォトセンサを用いたので、照光部材にランプを用いたり、スイッチに機械式のマイクロスイッチを用いたりするものよりは、低消費電力で故障が少なく耐久性の向上を図ることができるものである。
【図面の簡単な説明】
【００１７】
【図１】本発明の照光式押しボタンスイッチ装置の右側面の外観を示す図であり、（ａ）は上から見た平面図、（ｂ）は右側面図である。
【図２】本発明の照光式押しボタンスイッチ装置の構成を、正面から示す分解斜視図である。
【図３】本発明の照光式押しボタンスイッチ装置の構成を、右側面から示す分解斜視図である。
【図４】本発明の照光式押しボタンスイッチ装置の断面を示す図であり、（ａ）は正面方向からの断面図、（ｂ）は右側面方向からの断面図である。
【図５】本発明の照光式押しボタンスイッチ装置の構成を示す図であり、（ａ）はその底面図、（ｂ）は回路基板を外して見た底面図である。
【図６】本発明の照光式押しボタンスイッチ装置のキャップ部の断面図である。
【図７】本発明の照光式押しボタンスイッチ装置の押しボタン部材の一部断面底面図である。
【図８】本発明の照光式押しボタンスイッチ装置の光拡散レンズを示し、（ａ）はその底面図、（ｂ）はその断面図である。
【図９】本発明の照光式押しボタンスイッチ装置に用いるフォトセンサの動作を説明する説明図である。
【発明を実施するための形態】
【００１８】
以下に、本発明を実施するための最良の形態を図面に基づいて説明する。尚、所謂当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１９】
本発明の一実施形態を、以下図面を用いて説明する。
【００２０】
図１は、本発明の照光式押しボタンスイッチ装置の外観を示す図であり、（ａ）が上から見た平面図、（ｂ）は右側面図である。
【００２１】
本発明の照光式押しボタンスイッチ装置１は、図１に示すごとき外観構成を有し、例えばゲーム機として代表的な業務用のテレビゲーム機において、操作盤上に設置されている。但し、本発明の照光式押しボタンスイッチ装置１は、テレビゲーム機に用いることに限定されない。照光部材ＯＮ・ＯＦＦさせる照光式押しボタンスイッチ装置１を用いる電気・電子機器の全てに用いることができる。
【００２２】
図２は、本発明の照光式押しボタンスイッチ装置の構成を、正面から見た分解斜視図である。図３は、本発明の照光式押しボタンスイッチ装置の構成を、右側面から見た分解斜視図である。
【００２３】
図２及び図３に示すように、照光式押しボタンスイッチ装置１の構成は、例えば業務用のテレビゲーム機の操作盤２に固定されるスイッチケース１１と、後述する電子回路１８４のＯＮ・ＯＦＦのために操作時に可動させる押しボタン部材１０と、この押しボタン部材１０の操作によるＯＮ・ＯＦＦを検知するフォトセンサ１８及び押しボタン部材１０の先端に取り付けたキャップ部１２全体を発光させる照光部材１９とを搭載する回路基板１７、フォトセンサ１８の光路１８５を遮断・導通させるシャッター部材１５等で構成される。
【００２４】
図４は、本発明の照光式押しボタンスイッチ装置１の断面を示す図であり、（ａ）が正面方向からの断面図、（ｂ）は右側面方向からの断面図である。
【００２５】
図２、図３、図４及び図５に示すように、スイッチケース１１は例えばＰＣ（ポリカーボネイト）製の合成樹脂の成形品で、その構成は胴部１１１と鍔部１１２とから成り、鍔部１１２は、胴部１１１の上端部に設けられ、胴部１１１を図４（ｂ）に示した電気・電子機器の操作盤２（テレビゲーム機にあってはその操作盤）の取付孔２ａに取り付けたとき当該鍔部１１２から上側が、操作盤２の表面に突出するように構成している。また、胴部１１１は、外形形状が細長い筒状であり、下面視すると（下方から底面を上方向に視ると）、円筒状に形成されると共に、その胴部１１１の側部の対向位置に１８０度間隔で角孔形状の係止孔１１３，１１３が設けられている。さらに、鍔部１１２の下側で胴部１１１の外周にはリブ部１１１ａが設けられている。
【００２６】
尚、本願明細書と特許請求の範囲で長筒状と記載しているのは、一般に直径の寸法よりも軸方向の長さ寸法の方が長いものを指すが、このものに限定されず、これには照光部材１９とキャップ部１２の間が所定寸法以上に離れている構成のものを含んでいる。
【００２７】
さらに、胴部１１１の側部には、係止孔１１３，１１３に対して９０度ずつ変位させて取付係止片１１４，１１４が設けられており、この取付係止片１１４，１１４は、外側に複数の段部１１４ａが上側から下側に至るほど拡径させて設けられ、弾性を付与されて胴部１１１の半径方向へ揺動可能に設けられている。この取付係止片１１４，１１４は、後述するように、スイッチケース１１を図４（ｂ）に示したように、電気・電子機器などの操作盤２に設けた取付孔２ａへワンタッチで取り付けることができるようにしたもので、複数の段部１１４ａが拡径されて設けられているのは、取付孔２ａの部分の板厚にバラつきがあっても対応できるようにするためのものである。尚、このスイッチケース１１の外周に雄ネジ部を設けナットを用いて操作盤２の取付孔２ａへ取り付けるようにすることは任意である。また、スイッチケース１１は、実施例の円筒形状をはじめとして、四角柱形、楕円柱形、偏平柱形などを含み、その形状に限定はなく操作盤２などへ取り付け可能に形成されていればよい。
【００２８】
次に、押しボタン部材１０は、図２〜図４及び図６〜図８に示したように、手指で押圧操作するためのキャップ部１２、光を拡散させる光拡散レンズ１３、及びプランジャー１４を備えており、キャップ部１２、光拡散レンズ１３などは、例えばＰＣなどの光透過性材質の合成樹脂製の成形品であり、プランジャー１４は、ＰＯＭ（ポリアセタール）などの衝撃に強い原則として光透過性材質の合成樹脂製の成形品である。
【００２９】
プランジャー１４は、外殻部１４１と内殻部１４２を同心状に配し、上部で接続させてなるもので、外殻部１４１と内殻部１４２の間には同心状にスプリング収容部１４６が設けられている。さらに、外殻部１４１の側部には１８０度間隔で上記したスイッチケース１１に設けられた係止孔１１３，１１３に上下動可能に嵌め込まれ、係止される係止突起１４７，１４７が設けられている。さらに、内殻部１４２はプランジャー１４の上下方向を貫通する貫通孔を有しており、内側には下部から上部に至るほど径の大きくなる小径部１４３と大径部１４４が傾斜部１４５を介して連接されると共に、下部には後述するシャッター部材１５を取り付ける複数の取付脚部１４８，１４８が長溝１４９，１４９で仕切られることによって弾性を付与されて垂下されており、取付脚部１４８，１４８には、係合孔１５０，１５０が設けられている。
【００３０】
さらに、指示記号１５で示したものは、シャッター部材であり、このシャッター部材１５は、光不透過性の、例えばＰＣなどの合成樹脂の成形品であり、中空環状を呈した取付部１５２と、この取付部１５２の一側部から下方に前記照光部材の上面側を遮らないように垂下された遮光片１５１とで構成されている。このシャッター部材１５の取付部１５２には係止突起１５３，１５３が設けられており、その取付部１５２をプランジャー１４の取付脚部１４８，１４８内へ圧入させ、その係止突起１５３，１５３を係合孔１５０，１５０へ係合させ、さらに遮光片１５１の一部を取付脚部１４８，１４８の一つに設けた係合溝１４８ａへ挿入係合させることで、プランジャー１４に対する衝撃に対しても脱落することがないようにしっかりと取付脚部１４８，１４８に取り付けられている。このように、シャッター部材１５の取付部１５２を中空の環状にして別体式にした上で、筒状を呈したプランジャー１４の下端部側の取付脚部１４８，１４８間に取り付けたことは、照光部材１９を発光させた際、その光線は何物にも遮られることなく、光拡散レンズ１３を透過してキャップ部１２より、外部へ拡散放射される。そして、その際にプランジャー１４やシャッター部材１５が影となって、キャップ部１２を均一に光らせることができないという問題を解決したものである。
【００３１】
また、プランジャー１４の外殻部１４１と内殻部１４２の間に設けられたスプリング収容部１４６には、圧縮コイルスプリングからなる弾性手段１６が内殻部１４２に環巻きされつつ設けられ、スイッチケース１１の取付台部１１５とプランジャー１４のスプリング収容部１４６に設けた受圧部１４６ａ間に弾設されている。
【００３２】
尚、プランジャー１４には、その上端部にキャップ部１２が光拡散レンズ１３を介して嵌め込まれており、キャップ部１２を光拡散レンズ１３を介してプランジャー１４に嵌め込んで押しボタン部材１０を一体として組み立てる。このキャップ部１２のプランジャー１４に対する嵌め込みは、プランジャー１４の上端部にフランジ部１４ａを設け、キャップ部１２の内側に設けたリング状の膨出部１２ａが互いに係合する構成である。さらに、フランジ部１４ａの部分には上端部に９０度間隔で嵌合凹部１４ｂが設けられている。
【００３３】
光拡散レンズ１３は、例えばＰＣなどの合成樹脂成型品であり、とくに図８（ａ）に示したように、その下面側には小径に構成した凸部１３ａが設けられると共に、この凸部１３ａに続いてその外側の縁部の下面には９０度間隔で上記嵌合凹部１４ｂにはめ込まれる嵌合凸部１３ｂが設けられており、使用中に光拡散レンズ１３が衝撃で移動したりしないように構成されている。この光拡散レンズ１３は側面から見ると、とくに図８（ｂ）に示したように、凸レンズ形状を呈している。この光拡散レンズ１３を用いることにより、照光式押しボタンスイッチ装置１の上方にあるキャップ部１２から放射される光が、拡散して光の強度を均一にすることができる。このため、均一な照光性および高輝度性を出しやすくなる。これで、照光式押しボタンスイッチ装置１における出射光を明るく見せることができ、さらに押しボタンの輝度ムラを低減することができる。
【００３４】
指示記号１７で示したものは回路基板であり、この回路基板１７は両側部に１８０度間隔で取付用長溝１７１，１７１が設けられ、スイッチケース１１の下部にその内側へ突出させて設けた取付台部１１５にタッピングビス１０１を介して取り付けけられている。また、回路基板１７には、上面の中央位置でプランジャー１４の軸芯部軸方向に位置して例えばチップ状発光ダイオードからなる照光部材１９が搭載されており、この照光部材１９に対向して一側部に位置させてフォトセンサ１８が搭載されている。そして、図５の（ａ）に示したように、回路基板１７の下側から図示しない制御基板に接続させるための接続端子２０が接続されている。
【００３５】
この電気配線のための接続端子２０を差込式にすることで照光式押しボタンスイッチ装置１の電子機器等に対して装着を容易にすることができる。
【００３６】
図９は、本発明の照光式押しボタンスイッチ装置に用いるフォトセンサ１８の動作を説明する概略図である。
【００３７】
フォトセンサ１８は、フォトセンサ用ハウジング（以下、単に「ハウジング」と記す。）１８３に、信号を受けて光を発光する発光素子１８１と、光を受光して信号化する受光素子１８２と、さらに、電子機器等の回路基板１７と接続する前に抵抗又は電子回路１８４を設けて、これらを一体に構成して成る。
【００３８】
このフォトセンサ１８では、発光素子１８１と受光素子１８２とをそれぞれ対向配置した状態で各部間の下部を結合して一体に形成した正面視略凹字形で構成される。このようなほぼ略凹字形のフォトセンサ１８は、溝型又はコの字型と称されることがある。フォトセンサ１８に設けられた溝の内側の光路１８５が検出範囲となる。この検出範囲に、検出の対象となる遮光片１５１が出入りすることで、ＯＮ・ＯＦＦ動作を検知する。
【００３９】
また、フォトセンサ１８は、ハウジング１８３における構造が、正面視凹字形の溝部空間の一方の側面に発光素子１８１を設置している。さらに、ハウジング１８３の対向する一方の側面に受光素子１８２を設置して、ハウジング１８３によってこれらを一体に構成している。この発光素子１８１、受光素子１８２の間に溝部空間を設け、遮光片１５１によって、光路１８５の幅間を閉塞することで、信号のＯＮ・ＯＦＦを検知することができる構造になっている。
【００４０】
ハウジング１８３は、回路基板１７と一体に構成すれば、例えば金型を用いてハウジング１８３と回路基板１７とを一括で製造することができる。
【００４１】
尚、この回路基板１７を介して接続される図示しない制御基板は、種々の電気・電子機器を統括制御するものであり、メインＣＰＵ、プログラムＲＯＭ、及び制御用ＲＡＭ等を搭載している。尚、メインＣＰＵは、制御基板の制御をつかさどるものであり、プログラムＲＯＭは、必要なプログラムやデータ等を記憶しておくものであり、制御用ＲＡＭは、メインＣＰＵが各種の制御を行うときに、取り込んだデータ等を一時的に記憶等するものである。
【００４２】
上述した各部材によって照光式押しボタンスイッチ装置１は構成されるが、以下に説明するように、本発明の照光式押しボタンスイッチ装置１は、押しボタン式で動作する。以下に、その組立手順と動作について説明する。
【００４３】
まず、スイッチケース１１内の取付台部１１５上に弾性手段１６を載置する。そして、押しボタン部材１０をスイッチケース１１の周方向に一致させて上方から押し込む。その際にスプリング収容部１４６内に弾性手段１６が収容されるようにする。そして、押しボタン部材１０を構成するプランジャー１４の外周に設けた係止突起１４７，１４７がスイッチケース１１の係止孔１１３，１１３に嵌り込むまで弾性手段１６の弾力に抗して押し込み、手を放すと弾性手段１６の弾力によりプランジャー１４が若干押し戻され、係止突起１４７，１４７が係止孔１１３，１１３と係合したところで、プランジャー１４はスイッチケース１１の上方へ抜け出ることなく停止し、プランジャー１４のスイッチケース１１に対する組み付けが完了する。同時にシャッター部材１５の遮光片１５１がフォトセンサ１８の上方で、照光部材１９の上方を遮ることなく位置することになる。
【００４４】
そこで、本発明に係る照式光押しボタンスイッチ装置１を上記したように電子機器の操作盤２の取付孔２ａへスイッチケース１１の下端部側から挿入させ、鍔部１１２が取付孔２ａに当たるまで挿入させてやると、取付係止片１１４，１１４は内側へすぼみ、段部１１４ａのどれかが取付孔２ａと係合することにより、照光式押しボタンスイッチ装置１は操作盤２へワンタッチで取り付けられ、上方へ抜け出てくることなないものである。
【００４５】
尚、実施例のフォトセンサ１８は常閉形のものであり、遮光片１５１が発光素子１８１と受光素子１８２の間の光路１８５を遮断した時に、例えばテレビゲーム機の電子回路１８４が動作される構成となっている。照光部材１９が点灯した場合には、その光はプランジャー１４の小径部１４３から傾斜部１４５及び大径部１４４を通って光拡散レンズ１３とキャップ部１２を介して外部へ放射される。尚、フォトセンサ１８で照光部材１９のＯＮ、ＯＦＦ動作を、電子回路１８４の動作と共に、或は独立して行うようにすることは任意である。    
【００４６】
したがって、通常時は照光部材１９が点灯していても電子回路１８４はＯＦＦ状態であるが、使用時にスイッチケース１１に対して押しボタン部材１０を弾性手段１６の弾力に抗して押し込んで下方に移動させたとき、押しボタン部材１０におけるシャッター部材１５の取付部１５２に延設されている板状の遮光片１５１が、プランジャー１４と共に、弾性手段１６の弾力に抗して下方に移動し、フォトセンサ１８の中心部に位置する略凹字形の溝部に挿入されるような位置関係で挿し込まれる。これによって発光素子１８１と受光素子１８２との間の光路１８５を遮断することにより、電子回路１８４は動作されることになる。
【００４７】
次に、押しボタン部材１０より手指を離すと、弾性手段１６によって押し戻されて、シャッター部材１５の遮光片１５１が、フォトセンサ１８の中心部に位置する略凹字形の溝部から退避して上方に戻されて、発光素子１８１と受光素子１８２との間の光路１８５を遮断しなくなることにより、ＯＮ・ＯＦＦ操作を検知することができるとともに、この検知した信号をもとに電子回路１８４を動作させることができるものである。
【産業上の利用可能性】
【００４８】
本発明は以上のように構成したので、組み立て、組み付けが簡単で、低消費電力で故障が少なく、長寿命性を持ち、さらにキャップ部に輝度ムラを生じさせることなく均一に光らせることのできる各種ゲーム機などの電気・電子機器の照光式押しボタンスイッチ装置として好適に用いられるものである。
【符号の説明】
【００４９】
１  照光式押しボタンスイッチ装置
１０１  タッピングビス
２  操作盤
２ａ  取付孔
１０  押しボタン部材
１１  スイッチケース
１１１  胴部
１１１ａ  リブ部
１１２  鍔部
１１３  係止孔
１１４  取付係止片
１１４ａ  段部
１１５  取付台部
１２  キャップ部
１２ａ  膨出部
１３  光拡散レンズ
１３ａ  凸部
１３ｂ  嵌合凸部  
１４  プランジャー
１４ａ  フランジ部
１４ｂ  嵌合凹部
１４１  外殻部
１４２  内殻部
１４３  小径部
１４４  大径部
１４５  傾斜部
１４６  スプリング収容部
１４６ａ  受圧部
１４７  係止突起
１４８  取付脚部
１４８ａ  係合溝
１４９  長溝
１５  シャッター部材
１５０  係合孔
１５１  遮光片
１５２  取付部
１５３  係止突起
１６  弾性手段
１７  回路基板
１７１  取付用長溝
１８  フォトセンサ
１８１  発光素子
１８２  受光素子
１８３  ハウジング
１８４  電子回路
１８５  光路
１９  照光部材（ＬＥＤ）
２０  接続端子
【図１】
0005564095.tif 000002
【図２】
0005564095.tif 000003
【図３】
0005564095.tif 000004
【図４】
0005564095.tif 000005
【図５】
0005564095.tif 000006
【図６】
0005564095.tif 000007
【図７】
0005564095.tif 000008
【図８】
0005564095.tif 000009
【図９】
0005564095.tif 000010